(57)【要約】  脱塩処理の再生工程でのスケールの析出を確実に防止する。本発明の水再生システム（１）及び脱塩処理装置（４）は、脱塩部（１０）、被処理水にスケール防止剤を供給する供給部（２０）、及び、制御部（４０）を備える。制御部（４０）は、脱塩部（１０）内でのスケール成分の濃度に基づいて、スケール防止剤及び低イオン濃度水のうち少なくとも一方の供給開始時間と供給停止時間とを取得し、供給開始時間と供給停止時間との間で供給部（２０）にスケール防止剤及び低イオン濃度水のうち少なくとも一方の供給を実施させる。
2014155660.tif 000002
【特許請求の範囲】
【請求項１】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部とを含む水再生システム。
【請求項２】
前記供給部が前記脱塩部の上流に設置され、
前記制御部が、前記スケール成分の濃度が第１の閾値に到達した時間と前記被処理水が前記脱塩部に滞留する滞留時間とから前記供給開始時間を取得するとともに、前記スケール成分の濃度が、前記第１の閾値の０．５倍以上１倍以下の値である第２の閾値に到達した時間と前記滞留時間とから前記供給停止時間とを取得する請求項１に記載の水再生システム。
【請求項３】
前記供給部が前記電極間流路に接続され、
前記制御部が、前記スケール成分の濃度が第１の閾値に到達した時間を前記供給開始時間として取得するとともに、前記スケール成分の濃度が、前記第１の閾値の０．５倍以上１倍以下の値である第２の閾値に到達した時間を前記供給停止時間として取得する請求項１に記載の水再生システム。
【請求項４】
前記脱塩部から排出された前記濃縮水及び前記処理水の少なくとも一方を前記供給部に循環させる循環部を更に備え、
前記制御部が、前記スケール成分イオンの濃度が低い前記濃縮水及び前記処理水の少なくとも一方を、前記低イオン濃度水として前記循環部を通じて前記供給部に送給させて、前記供給部から前記脱塩部に供給させる請求項１乃至請求項３のいずれかに記載の水再生システム。
【請求項５】
前記制御部が、前記脱塩部内の前記スケール成分の濃度に基づいて、前記低イオン濃度水の流量を制御する請求項１乃至請求項４のいずれかに記載の水再生システム。
【請求項６】
前記スケール成分イオンの濃度を計測する計測部が、前記脱塩部の下流に設置され、あるいは、前記電極間流路に接続され、
前記計測部が前記スケール成分イオンの濃度を計測し、
前記制御部が、前記計測部で計測される前記スケール成分イオンの濃度から前記スケール成分の濃度を取得し、前記スケール成分の濃度に基づいて、前記供給開始時間と前記供給停止時間とを取得する請求項１乃至請求項５のいずれかに記載の水再生システム。
【請求項７】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部とを含む脱塩処理装置。
【請求項８】
前記供給部が前記脱塩部の上流に設置され、
前記制御部が、前記スケール成分の濃度が第１の閾値に到達した時間と前記被処理水が前記脱塩部に滞留する滞留時間とから前記供給開始時間を取得するとともに、前記スケール成分の濃度が、前記第１の閾値の０．５倍以上１倍以下の値である第２の閾値に到達した時間と前記滞留時間とから前記供給停止時間とを取得する請求項７に記載の脱塩処理装置。
【請求項９】
前記供給部が前記電極間流路に接続され、
前記制御部が、前記スケール成分の濃度が第１の閾値に到達した時間を前記供給開始時間として取得するとともに、前記スケール成分の濃度が前記第１の閾値の０．５倍以上１倍以下の値である第２の閾値に到達した時間を前記供給停止時間として取得する請求項７に記載の脱塩処理装置。
【請求項１０】
前記脱塩部から排出された前記濃縮水及び前記処理水の少なくとも一方を前記供給部に循環させる循環部を更に備え、
前記制御部が、前記スケール成分イオンの濃度が低い前記濃縮水及び前記処理水の少なくとも一方を、前記低イオン濃度水として前記循環部を通じて前記供給部に送給させて、前記供給部から前記脱塩部に供給させる請求項７乃至請求項９のいずれかに記載の脱塩処理装置。
【請求項１１】
前記制御部が、前記脱塩部内の前記スケール成分の濃度に基づいて、前記低イオン濃度水の流量を制御する請求項７乃至請求項１０のいずれかに記載の脱塩処理装置。
【請求項１２】
前記スケール成分イオンの濃度を計測する計測部が、前記脱塩部の下流に設置され、あるいは、前記電極間流路に接続され、
前記計測部が前記スケール成分イオンの濃度を計測し、
前記制御部が、前記計測部で計測される前記スケール成分イオンの濃度から前記スケール成分の濃度を取得し、前記スケール成分の濃度に基づいて、前記供給開始時間と前記供給停止時間とを取得する請求項６乃至請求項９のいずれかに記載の脱塩処理装置。
【請求項１３】
互いに逆極性に帯電される一対の対向する電極、該電極の間に位置しイオンを含む被処理水が流通可能とされる電極間流路、及び、各々の前記電極の前記電極間流路側に設置されるイオン交換膜を有する脱塩部において、前記電極に前記被処理水中の前記イオンを吸着させて処理水を生成させる脱塩工程と、
前記電極から前記吸着されたイオンを脱離させ前記電極間流路に放出させ、前記脱離したイオンを含む濃縮水を前記脱塩部から排出させる再生工程と、
前記脱塩部に、スケール防止剤、及び、スケール成分となる前記イオンであるスケール成分イオンの濃度が前記濃縮水よりも低い低イオン濃度水のうち少なくとも一方が供給される供給工程とを含み、
前記供給工程が、
前記脱塩部内での前記スケール成分の濃度に基づいて、前記スケール防止剤及び前記低イオン濃度水のうち少なくとも一方の供給が開始される供給開始時間と、前記スケール防止剤及び前記低イオン濃度水のうち少なくとも一方の供給が停止される供給停止時間とが取得される取得工程と、
前記供給開始時間に前記スケール防止剤及び前記低イオン濃度水のうち少なくとも一方の供給が開始される供給開始工程と、
前記供給開始工程の後に、前記供給停止時間に前記スケール防止剤及び前記低イオン濃度水のうち少なくとも一方の供給が停止される供給停止工程と、を含む水再生方法。
【請求項１４】
前記取得工程において、前記スケール成分の濃度が第１の閾値に到達した時間と前記被処理水が前記脱塩部に滞留する滞留時間とから前記供給開始時間が取得されるとともに、前記スケール成分の濃度が、前記第１の閾値の０．５倍以上１倍以下の値である第２の閾値に到達した時間と前記滞留時間とから前記供給停止時間が取得される請求項１３に記載の水再生方法。
【請求項１５】
前記取得工程において、前記電極間流路を通過している前記被処理水中の前記スケール成分の濃度が第１の閾値に到達した時間が前記供給開始時間として取得されるとともに、前記電極間流路を通過している前記被処理水中の前記スケール成分の濃度が、前記第１の閾値の０．５倍以上１倍以下の値である第２の閾値に到達した時間が前記供給停止時間として取得される請求項１３に記載の水再生方法。
【請求項１６】
前記供給工程において、前記スケール成分イオンの濃度が低い前記濃縮水及び前記処理水の少なくとも一方が、前記低イオン濃度水として供給される請求項１３乃至請求項１５のいずれかに記載の水再生方法。
【請求項１７】
前記供給工程において、前記脱塩部内の前記スケール成分の濃度が前記第１の閾値以下となるように、前記低イオン濃度水の流量が制御される請求項１３乃至請求項１６のいずれかに記載の水再生方法。
【請求項１８】
前記電極間流路を通過した後の前記濃縮水中の前記スケール成分イオンの濃度、または、前記電極間流路を通過している前記被処理水中の前記スケール成分イオンの濃度が計測される計測工程を更に含み、
前記取得工程において、前記計測された前記スケール成分イオンの濃度から前記スケール成分の濃度を取得され、前記スケール成分の濃度に基づいて、前記供給開始時間及び前記供給停止時間が取得される請求項１３乃至請求項１７のいずれかに記載の水再生方法。
【発明の詳細な説明】
【技術分野】
【０００１】
本発明は、水再生システム及び脱塩処理装置、並びに、水再生方法に関する。
【背景技術】
【０００２】
プラントからの工業排水に対して、重金属成分や浮遊粒子などの除去や、有機物の分解除去などの浄化処理が施される。工業用水の確保が困難な場所においては、浄化処理された処理水は工業用水に再利用される。この場合は、重金属成分や浮遊粒子、有機物などが除去された後、排水中に含まれるイオン分を除去する脱塩処理が施される。
また、河川水や地下水を利用する際に、塩分が多いことにより支障がある場合に、水中に含まれるイオン分を除去する脱塩処理が施される。【０００３】
脱塩処理装置としては、逆浸透膜式脱塩装置や脱塩処理装置（例えば特許文献１）などが知られている。
逆浸透膜式脱塩装置は、内部に逆浸透膜（ＲＯ膜）を有する。逆浸透膜式脱塩装置にイオンを含む水が流入すると、逆浸透膜は水のみを透過させる。逆浸透膜を透過した水（処理水）は、工業用水等として再利用される。逆浸透膜の上流側では、逆浸透膜を通過できなかったイオンが濃縮された水（濃縮水）となる。この濃縮水は、逆浸透膜式脱塩装置から排出されることにより、水処理装置の系外に排出される。流入水に対する処理水の割合を高くすると、濃縮水中のスケール成分イオンを含んで構成されるスケール成分が飽和溶解度以上になり、スケールが発生する。【０００４】
特許文献１に記載されている脱塩処理装置では、まず、一対の電極間に互いに逆極性の電圧が印加される。この状態で電極間を被処理液が流通すると、イオン成分が電極に吸着される（脱塩工程）。この脱塩工程により、処理水が回収される。電極のイオン吸着性能が飽和状態に近づいたところで、電極が短絡されるかイオン吸着時と逆の電圧が印加されると、吸着したイオン成分が電極から脱離される。イオン成分の脱離と同時に、あるいは脱離後に、被処理液もしくは被処理液よりイオン濃度の低い液を電極間に流通させて、電極間からイオンが除去してイオン成分が濃縮水として排出される（再生工程）。以後、脱塩工程と再生工程が繰り返えされる。【０００５】
被処理水（排水、河川水、地下水など）には、塩分として炭酸カルシウム（ＣａＣＯ３）、石膏（ＣａＳＯ４）、フッ化カルシウム（ＣａＦ２）、シリカ（ＳｉＯ２）が含まれる。これらは、飽和溶解度を超えると結晶性の固形分（スケール）として析出する。例えば炭酸カルシウムの場合、ｐＨ７．３で２７５ｍｇ／ｌを含むと、飽和溶解度を超えているためスケールが析出する。しかし、この溶液を調製しても１０分後であればスケールは析出せず、１日後に析出する。【０００６】
逆浸透膜式脱塩装置では、膜によりスケール成分を連続的に除去するため、高い水回収率の運転では濃縮水側のイオン濃度は常に高く、飽和溶解度以上で長時間（１日以上）保たれるため、スケールが析出する。
脱塩処理装置では、再生工程において、電極からのイオンの脱離により電極間には濃縮水が存在する。再生工程が１０分以内であれば、スケール析出前に脱塩工程が始まる。脱塩工程開始により電極間の水中のスケール成分濃度は飽和溶解度未満となるため、スケール析出が防止される。この特性により、特許文献１に記載されるような脱塩処理装置は、逆浸透膜式脱塩装置に比べて高い水回収率（再利用可能な水の回収率）が得られる点で有利である。
【先行技術文献】
【特許文献】
【０００７】
【特許文献１】特許４０９０６３５号公報
【発明の概要】
【発明が解決しようとする課題】
【０００８】
一方で、脱塩処理装置への供給水量に対する処理水（脱塩水）量の割合を高くすると、再生工程時にイオンの大部分が濃縮水に含まれることになるので、濃縮水のイオン濃度が高くなる。スケール成分が飽和溶解度を超えるイオン濃度である場合、イオン濃度が高いほど短時間でスケールが発生する。例えば、ｐＨ６．２でフッ素濃度１８．５ｍｇ／ｌ、カルシウム濃度６７５ｍｇ／ｌの水溶液では、スケールは１０分後であれば析出しないが、１日後に析出する。しかし、ｐＨ６．２でフッ素濃度３７ｍｇ／ｌ、カルシウム濃度１３５０ｍｇ／ｌの水溶液では、スケールは１０分以内に析出する。【０００９】
析出したスケールによって脱塩処理装置の内部流通路（電極間流路）が閉塞され、被処理液が所定の流量で流通することができなくなる。このため、高度にイオンが濃縮された濃縮水が生成する場合でも、スケールが析出しないことが求められている。【００１０】
本発明は、再生工程時にイオン濃度が高くなった場合でもスケールの発生を確実に防止することができる水再生システム及び脱塩処理装置、これを用いた水再生方法を提供することを目的とする。
【課題を解決するための手段】
【００１１】
本発明の第１の態様は、互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、前記脱塩部の下流側に設けられ、前記脱塩処理時に前記イオンが除去された処理水を前記脱塩部から排出させる処理水排出路と、前記脱塩部の下流側に設けられ、前記再生処理時に前記電極から放出された前記イオンを含む濃縮水を前記脱塩部から排出させる濃縮水排出路と、前記脱塩部にスケール防止剤、及び、スケール成分となる前記イオンであるスケール成分イオンの濃度が前記濃縮水よりも低い低イオン濃度水のうち少なくとも一方を供給する供給部と、前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部とを含む水再生システムである。【００１２】
本発明の第２の態様は、互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、前記脱塩部の下流側に設けられ、前記脱塩処理時に前記イオンが除去された処理水を前記脱塩部から排出させる処理水排出路と、前記脱塩部の下流側に設けられ、前記再生処理時に前記電極から放出された前記イオンを含む濃縮水を前記脱塩部から排出させる濃縮水排出路と、前記脱塩部にスケール防止剤、及び、スケール成分となる前記イオンであるスケール成分イオンの濃度が前記濃縮水よりも低い低イオン濃度水のうち少なくとも一方を供給する供給部と、前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部とを含む脱塩処理装置である。【００１３】
本発明の第３の態様は、互いに逆極性に帯電される一対の対向する電極、該電極の間に位置しイオンを含む被処理水が流通可能とされる電極間流路、及び、各々の前記電極の前記電極間流路側に設置されるイオン交換膜を有する脱塩部において、前記電極に前記被処理水中の前記イオンを吸着させて処理水を生成させる脱塩工程と、前記電極から前記吸着されたイオンを脱離させ前記電極間流路に放出させ、前記脱離したイオンを含む濃縮水を前記脱塩部から排出させる再生工程と、前記脱塩部に、スケール防止剤、及び、スケール成分となる前記イオンであるスケール成分イオンの濃度が前記濃縮水よりも低い低イオン濃度水のうち少なくとも一方が供給される供給工程とを含み、前記供給工程が、前記脱塩部内での前記スケール成分の濃度に基づいて、前記スケール防止剤及び前記低イオン濃度水のうち少なくとも一方の供給が開始される供給開始時間と、前記スケール防止剤及び前記低イオン濃度水のうち少なくとも一方の供給が停止される供給停止時間とが取得される取得工程と、前記供給開始時間に前記スケール防止剤及び前記低イオン濃度水のうち少なくとも一方の供給が開始される供給開始工程と、前記供給開始工程の後に、前記供給停止時間に前記スケール防止剤及び前記低イオン濃度水のうち少なくとも一方の供給が停止される供給停止工程と、を含む水再生方法である。【００１４】
再生処理では電極に吸着されたイオンが電極間流路に放出されることにより、濃縮水中のスケール成分濃度が高くなる。また、脱塩部への供給水量が規定以下である場合や処理水量が規定値に到達して処理水を製造する必要が無い場合などには、脱塩処理が再開されず脱塩部が停止する。このような場合は、スケール成分濃度が飽和濃度を超える濃縮水が電極間流路に長時間滞留することになる。
本発明の水再生システム及び脱塩処理装置では、制御部が濃縮水中のスケール成分濃度を用いてスケール防止剤及び／または低イオン濃度水の供給開始時間及び供給停止時間を取得している。そして、供給開始時間及び供給停止時間の間の期間で、供給部から脱塩部にスケール防止剤及び／または低イオン濃度水が供給される。本発明の水再生方法では、上記取得工程で取得された供給開始時間及び供給停止時間の間の期間で、脱塩部にスケール防止剤及び／または低イオン濃度水が供給される。
こうすることにより、再生工程時や脱塩部の停止時に脱塩部内の電極間流路においてスケール成分の濃度が飽和濃度を超えた場合でも、スケール発生を確実に防止できる。更に、効率良くスケール防止剤及び／または低イオン濃度水の供給を行うことができるので、運転コストを低減させることができる。【００１５】
上記第１の態様または第２の態様において、前記供給部が前記脱塩部の上流に設置され、前記制御部が、前記スケール成分の濃度が第１の閾値に到達した時間と前記被処理水が前記脱塩部に滞留する滞留時間とから前記供給開始時間を取得するとともに、前記スケール成分の濃度が、前記第１の閾値の０．５倍以上１倍以下の値である第２の閾値に到達した時間と前記滞留時間とから前記供給停止時間とを取得することができる。【００１６】
上記第３の態様において、前記取得工程において、前記スケール成分の濃度が第１の閾値に到達した時間と前記被処理水が前記脱塩部に滞留する滞留時間とから前記供給開始時間が取得されるとともに、前記スケール成分の濃度が、前記第１の閾値の０．５倍以上１倍以下の値である第２の閾値に到達した時間と前記滞留時間とから前記供給停止時間が取得されることができる。【００１７】
上記態様では、水が脱塩部に滞留する滞留時間を考慮して、スケール防止剤及び低濃度イオン水のうち少なくとも一方の供給を開始する時間と停止する時間とを取得する。ここで、第１の閾値とは、スケール成分の飽和濃度値、あるいは、スケール成分の飽和濃度値よりも高い値である。
こうすることにより、脱塩部内でのスケール成分濃度をスケール防止剤及び／または低イオン濃度水供給に精度良く反映させることが可能である。【００１８】
上記第１の態様または第２の態様において、前記供給部が前記電極間流路に接続され、前記制御部が、前記スケール成分の濃度が第１の閾値に到達した時間を前記供給開始時間として取得するとともに、前記スケール成分の濃度が、前記第１の閾値の０．５倍以上１倍以下の値である第２の閾値に到達した時間を前記供給停止時間として取得することができる。【００１９】
上記第３の態様において、前記取得工程において、前記電極間流路を通過している前記被処理水中の前記スケール成分の濃度が第１の閾値に到達した時間が前記供給開始時間として取得されるとともに、前記電極間流路を通過している前記被処理水中の前記スケール成分の濃度が、前記第１の閾値の０．５倍以上１倍以下の値である第２の閾値に到達した時間が前記供給停止時間として取得されることができる。【００２０】
このようにスケール防止剤や低イオン濃度水を脱塩部に直接供給すれば、滞留時間等を考慮しなくても済む。従って、上記構成において脱塩部内のスケール成分の濃度から供給開始時間及び供給停止時間を決定すれば、脱塩部内でのスケール成分の濃度をスケール防止剤や低イオン濃度水の供給に精度良く反映させることが可能であり、スケール発生を確実に防止することができる。【００２１】
上記第１の態様または第２の態様において、前記脱塩部から排出された前記濃縮水及び前記処理水の少なくとも一方を前記供給部に循環させる循環部を更に備え、前記制御部が、前記スケール成分イオンの濃度が低い前記濃縮水及び前記処理水の少なくとも一方を、前記低イオン濃度水として前記循環部を通じて前記供給部に送給させて、前記供給部から前記脱塩部に供給させても良い。【００２２】
上記第３の態様では、前記供給工程において、前記スケール成分イオンの濃度が低い前記濃縮水及び前記処理水の少なくとも一方が、前記低イオン濃度水として供給されても良い。【００２３】
再生処理の初期及び終期の脱塩部内に残留するイオン濃度は低い。このため、再生処理の初期及び終期での濃縮水を低イオン濃度水として脱塩部に循環させても、スケール成分の濃度が飽和濃度に到達しないので、スケールが発生する恐れが無い。また、脱塩工程で生成する処理水もイオン濃度が低減されているため、低イオン濃度水として使用できる。このような構成を採用することによって、系外からの清浄な水の供給量が抑えられ、効率良く水再生を実施することができる。【００２４】
上記第１の態様または第２の態様において、前記制御部が、前記脱塩部内の前記スケール成分の濃度に基づいて、前記低イオン濃度水の流量を制御しても良い。【００２５】
上記第３の態様において、前記供給工程において、前記脱塩部内の前記スケール成分の濃度が前記第１の閾値以下となるように、前記低イオン濃度水の流量が制御されても良い。【００２６】
このように、脱塩部内のスケール成分濃度に基づいて低イオン濃度水の流量を変えれば、必要以上の低イオン濃度水を供給することがなくなるので、低イオン濃度水使用量を抑えることができる。特に処理水を低イオン濃度水として利用する場合には、水回収率の低下を抑えることが可能となる。【００２７】
上記第１の態様または第２の態様において、前記スケール成分イオンの濃度を計測する計測部が、前記脱塩部の下流に設置され、あるいは、前記電極間流路に接続され、前記計測部が前記スケール成分イオンの濃度を計測し、前記制御部が、前記計測部で計測される前記スケール成分イオンの濃度から前記スケール成分の濃度を取得し、前記スケール成分の濃度に基づいて、前記供給開始時間と前記供給停止時間とを取得しても良い。【００２８】
上記第３の態様において、前記電極間流路を通過した後の前記濃縮水中の前記スケール成分イオンの濃度、または、前記電極間流路を通過している前記被処理水中の前記スケール成分イオンの濃度が計測される計測工程を更に含み、前記取得工程において、前記計測された前記スケール成分イオンの濃度から前記スケール成分の濃度を取得され、前記スケール成分の濃度に基づいて、前記供給開始時間及び前記供給停止時間が取得されても良い。【００２９】
このように、計測部により計測されたスケール成分イオンの濃度から取得したスケール成分濃度を用いて供給開始時間及び供給停止時間が取得される構成とすると、被処理水の水質が変動した場合に、水質に応じてスケール防止剤や低イオン濃度水の供給量を変えたり、スケール防止剤及び低イオン濃度水の供給が必要ない場合には供給しないとの選択を行うことができる。すなわち、スケール防止剤や低イオン濃度水の供給を効率化させることができる。
また、電極間の電極間流路に計測部を接続して電極間を流通する被処理水中のイオン濃度を計測すると、より高精度にスケール防止剤及び／または低イオン濃度水の供給量を管理することが可能となる。
【発明の効果】
【００３０】
本発明では、脱塩部内のスケール成分の濃度によりスケール防止剤及び／または低イオン濃度水の供給を制御するので、スケール析出を確実に防止することができる。また、スケール防止剤及び／または低イオン濃度水を過剰に供給しなくて済み、効率良く水再生を実施することができる。
【図面の簡単な説明】
【００３１】
【図１】水再生システムのブロック図である。
【図２】脱塩部の概略図である。
【図３】第１実施形態の脱塩処理装置の概略図である。
【図４】第１実施形態の脱塩処理装置の運転方法を説明するタイミングチャートの例である。
【図５】第１実施形態の脱塩処理装置の運転方法を説明するタイミングチャートの別の例である。
【図６】第２実施形態の脱塩処理装置の概略図である。
【図７】第４実施形態の脱塩処理装置の概略図である。
【発明を実施するための形態】
【００３２】
図１に水再生システムのブロック図の一例を示す。水再生システム１は、上流側から前処理部２、有機物処理部３、及び、脱塩処理装置４を備える。
【００３３】
前処理部２は、河川水やプラントからの排水等の被処理水を受け入れ、被処理水中の油分、重金属類、浮遊粒子などを除去する。これらの物質の含有量が少ない場合は、前処理部２を省略することができる。
【００３４】
有機物処理部３は、前処理部２で処理された被処理水中の有機物を分解処理する。有機物処理部３は、微生物を用いて有機物を分解除去する生物処理部と、有機物を化学的に酸化処理する化学酸化処理部と、活性炭と、紫外線処理装置とを、適宜組み合わせた構成とされる。
【００３５】
生物処理部は、膜分離活性汚泥法を用いた処理装置（ＭＢＲ：Ｍｅｍｂｒａｎｅ  Ｂｉｏ−Ｒｅａｃｔｏｒ）、及び、生物膜法を用いた処理装置（ＢＦＲ：Ｂｉｏ−Ｆｉｌｍ  Ｒｅａｃｔｏｒ）を含む。
【００３６】
ＭＢＲは、０．１μｍ程度の孔を有する膜が生物反応槽中の供給水に浸漬される。生物反応槽中の供給水に微生物が存在し、微生物が供給水中の有機物を分解する。生物反応槽中の汚泥処理に役立つ微生物は、最小で０．２５μｍ程度である。従って、生物反応槽中の供給水は、上記膜により供給水と微生物とに固液分離され、供給水のみがＭＢＲから排出される。
【００３７】
ＢＦＲでは、表面に微生物の膜が形成された支持体が内部に設置される。支持体表面の微生物が供給水と接触した時に、微生物が供給水中の有機物を分解処理する。
【００３８】
ＭＢＲとＢＦＲとを組み合わせた構成の場合には、供給水中の有機物量（ＣＯＤ）に応じて、ＭＢＲ及びＢＦＲの運転が制御される。例えば、供給水中のＣＯＤが低い場合にはＭＢＲのみを運転する。ＣＯＤの変動が大きくなった場合には、ＭＢＲと並行してＢＦＲを稼働させる。
被処理水中の有機物量が少ない場合は、生物処理部を省略できる。
【００３９】
化学酸化処理としては、次亜塩素酸や過酸化水素を被処理水に供給する方法や、被処理水にオゾン照射を行う方法がある。
【００４０】
＜第１実施形態＞
図２，３は、脱塩処理装置４の概略図である。脱塩処理装置４は、脱塩部１０、供給部２０、及び制御部４０を備える。図１の水再生システムでは、複数の脱塩処理装置４が直列、並列、または、直列と配列とが組み合わされて連結される構成とされても良い。
【００４１】
図２に示すように、脱塩部１０は、一対の対向する多孔質の電極１１，１３と、電極の間を供給水が流通可能な電極間流路１５とを備える。電極１１の電極間流路側面には陰イオン交換膜１２が設置され、電極１３の電極間流路側面には陽イオン交換膜１４が設置される。
【００４２】
図３に示すように、脱塩部１０の下流側に排出路２２が設けられる。排出路２２は、経路の途中で処理水排出路２３と濃縮水排出路２４とに分岐される。処理水排出路２３及び濃縮水排出路２４に、それぞれバルブＶ１，Ｖ２が設置される。
【００４３】
図３において、供給部２０は、脱塩部１０の上流側で被処理水が流通する配管に接続される。スケール防止剤や低イオン濃度水の供給量削減の観点から、供給部２０が配管に接続される位置は、脱塩部１０の近傍とすることが好ましい。
【００４４】
供給部２０は、タンク２１とバルブＶ３とで構成される。なお、供給部２０は、バルブの代わりにポンプを配置する構成、あるいは、ポンプとバルブを併用する構成とすることもできる。
【００４５】
タンク２１内には、スケール防止剤または低イオン濃度水が貯蔵される。図３では供給部２０が１つのみ設けられる例が示されているが、スケール防止剤及び低イオン濃度水の両方を供給する場合には、２つの供給部２０が設けられ、それぞれのタンク２１にスケール防止剤及び低イオン濃度水が別々に貯蔵される。
スケール防止剤は、キレート系スケール防止剤やホスホン酸系スケール防止剤（例えば、Ｏｎｄｅｏ  Ｎａｌｃｏ  Ｃｏｍｐａｎｙ製、商品名：ＰＣ１９１、Ｋｉｍｉｃ  Ｃｈｅｍｉｔｅｃｈ（ｓ）  ＰＴＥ  ＬＴＤ製、商品名：Ｋｉｍｉｃ  ＳＩ）が使用できる。
低イオン濃度水は、濃縮水よりもスケール成分となるイオン（スケール成分イオン）の濃度が低い水である。スケール成分イオンは、アルカリ土類金属イオン、Ｍｇ２＋などの金属イオンや、ＳＯ４２−，ＣＯ３２−，Ｆ−などの陰イオンである。これらのイオンは水に対して難溶性の塩を形成する。また、シリカイオンもスケール成分イオンである。本実施形態において、低イオン濃度水は、例えばイオン交換水、逆浸透膜式脱塩装置の透過水などとされる。
【００４６】
図３は、排出路２２に計測部３０が設置される例である。計測部３０は、脱塩部１０から排出された水に含まれるイオンの濃度を計測する。計測部３０は、必ずしも処理中の脱塩処理装置４に常設されなくても良い。
被処理水中には、スケール成分イオンとしてＣａ２＋及びシリカイオンが主として含まれる。従って、ここで計測対象となるイオンはカルシウムイオン（Ｃａ２＋）及びシリカイオンである。従って、計測部１０は、処理水中のＣａ２＋やシリカイオンを計測する濃度計とされる。この場合、上記イオンとともに、Ｃａ２＋と結合するＳＯ４２−、ＣＯ３２−、Ｆ−を計測しても良い。
【００４７】
あるいは、計測部３０として電気伝導度計を設置し、脱塩部１０から排出された水の電気伝導度を取得しても良い。
【００４８】
また、被処理水のｐＨにより飽和濃度が変化する。そこで、計測部３０としてｐＨ計を設置し、脱塩部１０から排出された水のｐＨからスケール成分の飽和濃度を推定し、スケール防止剤や低イオン濃度水の供給を開始する時間及び停止する時間の取得に使用しても良い。
【００４９】
制御部４０は例えばコンピュータとされる。制御部４０は、脱塩部１０、計測部３０、及び、バルブＶ１〜Ｖ３に接続される。
【００５０】
第１実施形態の水再生方法を以下で説明する。図４，５は、脱塩処理装置の運転方法を説明するタイミングチャートである。図４において「スケール成分濃度」は、脱塩部１０の電極間流路におけるスケール成分の濃度を概略的に示している。
【００５１】
（脱塩工程）
制御部４０は、電極１１がプラスに、電極１３がマイナスになるように、各電極１１，１３に電圧を印加させる。上記の通電状態を、図４，５では「正」と称する。制御部４０は、バルブＶ１を開放するとともに、バルブＶ２，Ｖ３を閉鎖する。
【００５２】
イオンを含む被処理水が電極１１，１３が通電された脱塩部１０に流入する。被処理水が電極１１，１３間の電極間流路１５を通過すると、被処理水中のマイナスイオンが陰イオン交換膜１２を透過して電極１１に吸着し、プラスイオンが陽イオン交換膜１４を透過して電極１３に吸着する。これにより、被処理水中からイオンが除去される。
【００５３】
イオンが除去された被処理水は、処理水として脱塩部１０から排出され、処理水排出路２３を通過し、脱塩処理装置の系外へ排出されて回収される。
【００５４】
（再生工程）
脱塩工程を所定時間実施した後、制御部４０は、電極１１がマイナスに、電極１３がプラスになるように、各電極１１，１３に電圧を印加する。すなわち、電極は「逆」の通電状態となる。制御部４０は、電極１１，１３の通電状態を逆にするのと同時に、バルブＶ１を閉鎖するとともにバルブＶ２を開放する。これにより、再生工程が開始される。
【００５５】
再生工程において、脱塩工程で吸着されたイオンが電極１１，１３から脱離され、電極間流路１５に放出される。放出されたイオンは、後述する供給工程時に電極間流路１５に流体を流通させることにより、脱塩部１０から排出される。
再生工程の終了時には、清浄な水（清水）や処理水などのイオン濃度が低い水が供給され、電極間流路１５に放出されたイオンとともに脱塩部１０から排出される。この再生工程により、電極１１，１３及び電極間流路１５に残留するイオン量は大幅に低減される。脱塩部１０から排出された水は、濃縮水として濃縮水排出路２４を通過して脱塩処理装置４の系外へ排出される。
【００５６】
上記の脱塩工程と再生工程は、所定時間毎に交互に実施される。例えば、脱塩工程は１〜１０分間実施され、再生工程は１〜５分実施される。
【００５７】
図４に示すように、再生工程でイオンが電極間流路１５に放出されることにより、脱塩部１０内（電極間流路１５内）のイオン濃度が増大することになる。脱塩部１０内のスケール成分の濃度が飽和濃度を超えると、スケールが析出しやすい状況となる。そこで、本実施形態では、脱塩部１０内のスケール成分濃度が所定値を超えると、脱塩部１０にスケール防止剤または低イオン濃度水、あるいは、スケール防止剤及び低イオン濃度水の両方が供給される。
制御部４０は、スケール成分の濃度に基づいて、供給部２０から被処理水中にスケール防止剤及び／または低イオン濃度水を供給する期間を取得する。本実施形態では、図３に示すように脱塩処理装置４に計測部３０を常設し、処理を行いながら計測部３０でスケール成分イオンの濃度を取得し、スケール成分イオンの濃度からスケール成分の濃度を取得して、スケール防止剤及び／または低イオン濃度水を供給する期間を取得しても良い。あるいは、予備試験時、試運転時または調整運転時にのみ計測部３０を設置してスケール成分イオンの濃度の時間変化を取得しておき、その濃度を用いてスケール成分の濃度の変化を取得して、実際の水処理におけるスケール防止剤及び／または低イオン濃度水を供給する期間を取得しても良い。
【００５８】
まず、処理中に計測部３０で取得されたスケール成分イオンの濃度からスケール防止剤及び／または低イオン濃度水を供給する期間を取得する方法を説明する。
（計測工程）
計測部３０は脱塩工程中及び再生工程中の脱塩部１０から排出された水中に含まれるスケール成分となるイオンの濃度を計測し取得する。計測部３０は、取得したイオンの濃度を制御部４０に送信する。
【００５９】
（供給工程）
脱塩部１０の運転中にスケール防止剤または低イオン濃度水、あるいは、スケール防止剤及び低イオン濃度水の両方を供給する供給工程を説明する。
制御部４０は、計測部３０から送信されたスケール成分イオンの濃度を用いて、スケール成分の濃度を取得する。
【００６０】
上述のように、Ｃａ２＋などの陽イオン及びＳＯ４２−、ＣＯ３２−、Ｆ−などの陰イオンの濃度がそれぞれ計測された場合は、陽イオン濃度及び陰イオン濃度からスケール成分の濃度が取得される。
あるいは、陽イオンまたは陰イオンのみの濃度が計測されて、スケール成分の溶解度積からスケール成分濃度が取得されても良い。この場合、濃度変動の大きい方のイオン濃度が計測されると良い。例えば、ＣａＳＯ４の場合、溶解度積はＫ＝［Ｃａ］２［ＳＯ４］２である。ＳＯ４２−の濃度は一定であると仮定される。この時、ＳＯ４２−の濃度が高めの値に設定されると良い。計測部３０で計測されたＣａ２＋の濃度を用いて、溶解度積から飽和溶解度に対するＣａＳＯ４の濃度が推定され、ＣａＳＯ４の濃度が取得される。他のスケール成分についても同様にして濃度が取得される。
【００６１】
電気伝導度とスケール成分濃度との間には正の相関関係がある。予め電気伝導度とスケール成分濃度との相関が取得され、制御部４０に格納される。計測部３０が計測した電気伝導度の値が制御部４０に送信され、制御部４０が上記相関関係からスケール成分濃度を取得する。
【００６２】
制御部４０は、スケール成分濃度の閾値Ａ（第１の閾値）を格納する。閾値Ａは、スケール成分の飽和濃度値、あるいは、飽和濃度値より高い値である。具体的に、閾値Ａはスケール成分の飽和濃度の１倍〜１０００倍の範囲内の値、好ましくは１００倍〜２００倍の範囲内の値である。飽和濃度値より高い値を閾値Ａとして設定する場合は、事前にスケール析出までの所要時間を試験により確認し、スケール析出までの時間が十分長い時間となる濃度とする。
【００６３】
制御部４０は、ｎ−１（ｎ≧２）回目の脱塩工程及び再生工程で、ｎ−１回目の脱塩工程が開始された時間を０として、計測部３０の計測値から取得したスケール成分濃度が閾値Ａに到達した時間ｔ１ｎ−１を取得する。
【００６４】
計測部３０は脱塩部１０の下流に設置されるため、脱塩部１０内の被処理水中の実際のスケール成分濃度は、脱塩部１０内に被処理水が滞留する時間（滞留時間）分だけ遅れて計測部３０で計測されることになる。滞留時間ｔｒは、式（１）で表される。
ｔｒ＝Ｗ／Ｑ    …（１）
Ｗ：脱塩部の保有水量（ｍ３）
Ｑ：供給水流量（ｍ３／ｈ）
すなわち、脱塩部１０内でスケール成分濃度が閾値Ａに到達した時間は、ｔ１ｎ−１−ｔｒである。制御部４０は、時間ｔ１ｎ−１−ｔｒをｎ回目の脱塩工程及び再生工程でＶ３を開放する供給開始時間Ｔ１ｎとして取得し、メモリに格納する。
【００６５】
制御部４０は、ｎ−１（ｎ≧２）回目の脱塩工程及び再生工程で、ｎ−１回目の脱塩工程が開始された時間を０として、計測部３０の計測値から取得されたスケール成分濃度が閾値Ａ’（第２の閾値）に到達した時間ｔ２ｎ−１を取得する。閾値Ａ’は、閾値Ａの０．５〜１倍の範囲内の値である。なお、１倍の場合はＡ＝Ａ’を意味する。この場合は、制御部４０はスケール成分濃度の経時変動をモニタリングし、濃度が増加している場合を閾値Ａ、濃度が減少している場合を閾値Ａ’と判断することができる。
上記と同様に、脱塩部１０内でスケール成分濃度が閾値Ａ’に到達した時間はｔ２ｎ−１−ｔｒである。制御部４０は、時間ｔ２ｎ−１−ｔｒをｎ回目の脱塩工程及び再生工程でＶ３を閉鎖する供給停止時間Ｔ２ｎとして取得し、メモリに格納する。
上記工程により、制御部４０は、Ｔ１ｎとＴ２ｎの間がスケール防止剤及び／または低イオン濃度水の供給が実施される期間Ｔａとなる。
【００６６】
制御部４０は、ｎ回目の脱塩工程及び再生工程において、取得された供給開始時間Ｔ１ｎでバルブＶ３を開放する。制御部４０は、取得された供給停止時間Ｔ２ｎでバルブＶ３を閉鎖する。図４のタイミングチャートは、再生工程中に供給開始時間Ｔ１ｎがあり、再生工程中に供給開始時間Ｔ１ｎ及び供給停止時間Ｔ２ｎがある場合の例である。図５のタイミングチャートは、脱塩工程中に供給開始時間Ｔ１ｎがあり、再生工程中に供給停止時間Ｔ２ｎがある場合の例である。
【００６７】
制御部４０は、ｎ回目の脱塩工程及び再生工程において、バルブＶ３の開閉を行うと同時に、上述の工程によりｎ＋１回目の脱塩工程及び再生工程における供給開始時間Ｔ１ｎ＋１及び供給停止時間Ｔ２ｎ＋１を取得し、期間Ｔａを決定する。
１回目の再生工程の場合は、試運転等の別途行う試験により取得された供給開始時間Ｔ１ｎ及び供給停止時間Ｔ２ｎで、制御部４０がバルブＶ３の開放及び閉鎖を行う。
【００６８】
供給開始時間Ｔ１ｎ及び供給停止時間Ｔ２ｎは、ｎ−１回目の工程で取得したスケール成分濃度を用いて以下の方法により取得しても良い。
制御部４０は、ｎ−１回目の脱塩工程及び再生工程で、時間ｔ１ｎ−１−ｔｒ及び時間ｔ２ｎ−１−ｔｒでのスケール成分濃度Ｃ１，Ｃ２をそれぞれ取得する。
【００６９】
制御部４０は、ｎ回目の脱塩工程及び再生工程において、スケール成分濃度がＣ１に到達した時刻を供給開始時間Ｔ１ｎとして取得する。取得された供給開始時間Ｔ１ｎでバルブＶ３を開放する。同様に、スケール成分濃度がＣ２に到達した時刻を供給停止時間Ｔ２ｎとして取得する。制御部４０は、取得された供給停止時間Ｔ２ｎでバルブＶ３を閉鎖する。
【００７０】
予備試験あるいは試運転を行う場合には、予備試験時、試運転時、または、調整運転時に計測部３０によりスケール成分イオンの濃度の時間変化を予め取得する。
脱塩工程及び再生工程の時間は予め設定されている。従って、脱塩工程あるいは再生工程を行う時間と、スケール成分イオン濃度の時間変化とが関連付けられる。予め取得されたイオンの濃度変化から、上述の供給工程と同様の手法にて、スケール成分濃度が取得され、ｎ回目の脱塩工程及び再生工程での供給開始時間Ｔ１ｎ及び供給停止時間Ｔ２ｎが取得される。
【００７１】
上述のように脱塩工程及び再生工程は数分〜十数分のサイクルで繰り返されるため、被処理水の水質はｎ−１回目とｎ回目とで緩やかに変動していく。ｎ−１回目の脱塩工程及び再生工程で計測部３０が計測したスケール成分濃度が閾値Ａに到達しない場合、制御部４０は供給開始時間Ｔ１ｎ及び供給停止時間Ｔ２ｎを取得しない。この場合、ｎ回目の脱塩工程及び再生工程ではバルブＶ３は開放されない。
【００７２】
供給部２０のタンク２１に低イオン濃度水が貯蔵される場合、バルブＶ３の開閉により、期間Ｔａで所定量の低イオン濃度水が脱塩部１０に供給される。これにより、電極間流路１５を流通する水中のイオン濃度が低減し、スケール成分の濃度が飽和濃度値以下となって、スケール生成が防止できる。制御部４０は、期間Ｔａに脱塩部１０に低イオン濃度水のみを流通させても良いし、スケール成分濃度が飽和濃度以下を保持できれば、低イオン濃度水と被処理水とを混合させて流通させても良い。
【００７３】
なお、閾値Ａを用いて、スケール成分濃度に応じて供給される低イオン濃度水の流量が制御されても良い。この場合、バルブＶ３は開度調節可能なバルブとされる。
ｎ−１回目の脱塩工程及び再生工程においてバルブＶ３が開放されて低イオン濃度水が供給されている間、計測部３０はスケール成分イオンの濃度をモニタリングする。計測部３０で計測されるスケール成分イオンから取得されるスケール成分濃度が閾値Ａ以上である場合、制御部４０は、ｎ回目の脱塩工程及び再生工程における供給工程においてバルブＶ３の開度を増加させて、低イオン濃度水の流量を増加させる。
【００７４】
供給工程において、制御部４０は低イオン濃度水を間欠的に供給することもできる。この場合、制御部４０のメモリには、期間Ｔａの間にバルブＶ３の開放及び閉鎖を繰り返す時間間隔が予め入力されており、制御部４０はｎ回目の脱塩工程及び再生工程でこの時間間隔でバルブＶ３の開閉を実行する。この時間間隔は、試運転等において取得された脱塩部１０のスケール成分濃度の変動を基にして適宜設定される。
あるいは、ｎ−１回目の脱塩工程及び再生工程において、脱塩部１０内のスケール成分濃度の値が閾値Ａを挟んで変動するような場合には、制御部４０は複数の供給開始時間Ｔ１ｎ及び供給停止時間Ｔ２ｎを取得する。すなわち、ｎ回目の脱塩工程及び再生工程での期間Ｔａが複数取得される。そして、ｎ回目の脱塩工程及び再生工程において、各々の供給開始時間Ｔ１ｎ及び供給停止時間Ｔ２ｎでバルブＶ３が開閉されて、低イオン濃度水が脱塩部１０に間欠的に供給される。
【００７５】
上記の制御方法では、制御部が閾値Ａ’（閾値Ａの０．５倍から１倍未満）を用いて低イオン濃度水の流量を制御することもできる。この場合、脱塩部のスケール成分濃度が飽和濃度を超えるのを確実に防止することができる。
【００７６】
タンク２１にスケール防止剤が貯蔵される場合、制御部４０は、期間Ｔａで所定量のスケール防止剤を被処理水または低イオン濃度水に供給する。スケール防止剤は被処理水または低イオン濃度水の流れにより脱塩部１０内に搬送されることにより、スケール防止剤が脱塩部１０に供給される。スケール防止剤が存在すると、スケール成分の飽和濃度を超えても析出限界以下となるため、スケール生成が防止できる。
スケール防止剤の効果を得るためには、期間Ｔａでスケール防止剤が脱塩部１０内に搬送されれば良い。このため、供給工程での被処理水の流量は、脱塩工程での被処理水の流量よりも少なくても十分である。被処理水は連続的に供給されても良いし、間欠的に供給しても良い。
【００７７】
低イオン濃度水によりスケール防止剤を搬送させることは、供給部２０を２つ設ける場合を意味する。この場合は、低イオン濃度水を貯蔵する供給部２０が、スケール防止剤を貯蔵する供給部２０よりも上流側に設置されることが好ましい。
このように、供給工程でスケール防止剤と低イオン濃度水とを供給する場合は、制御部４０は、上述した供給開始時間Ｔ１ｎ及び供給停止時間Ｔ２ｎで２つの供給部２０のバルブＶ３の開閉を同時に行っても良い。すなわち、制御部４０は、スケール防止剤と低イオン濃度水とを同じタイミングで脱塩部１０に供給する。
【００７８】
あるいは、制御部４０は、スケール防止剤の供給開始時間と低イオン濃度水の供給開始時間とをずらすこともできる。
スケール防止剤を先に供給する場合、制御部４０は、スケール防止剤が貯蔵される供給部２０について上述のように取得した供給開始時間Ｔ１ｎ及び供給停止時間Ｔ２ｎでバルブＶ３の開閉を行う。ｎ−１回目の脱塩工程及び再生工程においてスケール防止剤を供給しても脱塩部１０内のスケール成分濃度がスケール発生の恐れがある値（閾値Ａ”とする）を超える場合には、制御部４０は閾値Ａ”を用いて低イオン濃度水が貯蔵される供給部２０’のバルブＶ３’の供給開始時間Ｔ１ｎ”及び供給開始時間Ｔ２ｎ”を取得する。そして、制御部４０は、ｎ回目の脱塩工程及び再生工程の供給開始時間Ｔ１ｎ”及び供給停止時間Ｔ２ｎ”でバルブＶ３’の開放及び閉鎖を行い、低イオン濃度水を脱塩部１０に供給する。
低イオン濃度水を先に供給する場合、制御部４０は、供給部２０’について上述のように取得した供給開始時間Ｔ１ｎ及び供給停止時間Ｔ２ｎでバルブＶ３の開閉を行う。ｎ−１回目の脱塩工程及び再生工程において低イオン濃度水を供給しても脱塩部１０内のスケール成分濃度が閾値Ａに到達する場合には、制御部４０はスケール防止剤が貯蔵される供給部２０のバルブＶ３の供給開始時間Ｔ１ｎ”及び供給開始時間Ｔ２ｎ”を取得する。そして、制御部４０は、ｎ回目の脱塩工程及び再生工程の供給開始時間Ｔ１ｎ”及び供給停止時間Ｔ２ｎ”でバルブＶ３の開放及び閉鎖を行い、スケール防止剤を脱塩部１０に供給する。
【００７９】
なお、スケール防止剤及び低イオン濃度水の両方を供給する場合も、制御部４０は、上述と同様にして低イオン濃度水の供給量を調整したり、低イオン濃度水を間欠的に供給することができる。
【００８０】
次に、脱塩部１０が停止した場合にスケール防止剤または低イオン濃度水を供給する供給工程を説明する。
脱塩部１０への被処理水供給量が規定値以下である場合や、処理水量が規定値に到達した場合、制御部４０は、脱塩部１０に被処理水を供給するポンプ（不図示）と脱塩部１０とを停止させる。複数の脱塩部４を並列に配列した場合は、一の脱塩部１０が停止され、他の脱塩部１０での脱塩工程及び再生工程が継続される状態となる。
【００８１】
脱塩部１０が停止状態になると、制御部４０はバルブＶ１を閉鎖し、バルブＶ２を開放する。再生時に脱塩部１０が停止した場合は、バルブＶ１の閉鎖及びバルブＶ２の開放が維持される。
【００８２】
ｎ回目の脱塩工程及び再生工程中の時間Ｔｓｎで停止したとする。
Ｔｓｎが期間Ｔａの間である場合、バルブＶ３が開放された状態で脱塩部１０が停止する。制御部４０は、バルブＶ３の開放を維持させ、スケール防止剤及び／または低濃度イオン水の供給を継続させる。
【００８３】
制御部４０は、ｎ−１回目の脱塩工程及び再生工程におけるスケール成分の濃度を取得している。このスケール成分の濃度の取得にあたっては、運転時に計測部３０で計測されたイオン濃度の値を用いても良いし、予備試験結果等を用いても良い。制御部４０は、ｎ−１回目の脱塩工程及び再生工程におけるスケール成分の濃度から、上記運転中の供給工程と同様にして、脱塩部１０内でスケール成分濃度が閾値Ａ’に到達した時間を供給停止時間Ｔ２ｎとして取得し、メモリに格納する。そして、取得した供給停止時間Ｔ２ｎにおいて、バルブＶ３を閉鎖する。
【００８４】
Ｔｓｎが期間Ｔａの間でない場合、バルブＶ３が閉鎖された状態で脱塩部１０が停止する。脱塩部１０の電極間流路１５のスケール成分濃度が高い状態で脱塩部１０が停止すると、電極間流路１５はスケール成分濃度が高い状態が長時間維持され、スケールが析出しやすい状況となる。
計測部３０は、時間Ｔｓｎ以後のスケール成分イオン濃度を計測し、制御部４０に送信する。制御部４０は、時間Ｔｓｎ以後の時間Ｔでのスケール成分イオン濃度からスケール成分濃度を取得し、スケール成分濃度と閾値Ａとを比較する。制御部４０は、時間Ｔでのスケール成分濃度が閾値Ａに到達したと判断すると、バルブＶ３を開放し、供給部２０からスケール防止剤及び／または低濃度イオン水を供給させる。計測部３０は、バルブＶ３開放後にスケール成分濃度が閾値Ａ’に到達すると、バルブＶ３を閉鎖する。上記の制御を行うことにより、脱塩部１０の停止以降に脱塩部１０内のスケール成分の濃度が上昇した場合でも、スケール析出を防止することが可能である。
【００８５】
予備試験、試運転、または、調整運転を行う場合には、予備試験時、試運転時、または、調整運転時に計測部３０によりスケール成分イオンの濃度の時間変化、及び、脱塩部停止後のスケール成分イオンの経時変動を予め計測して取得しておく。制御部４０は、上記時間変化から脱塩部１０が停止した時のスケール成分濃度を取得する。制御部４０は、取得したスケール成分濃度と上記の経時変動とから、脱塩部停止後の脱塩部内のスケール成分濃度を推定する。推定スケール成分濃度が閾値Ａに到達すると予想される場合、制御部４０はバルブＶ３を開放し、供給部２０からスケール防止剤及び／または低イオン濃度水を供給する。また、閾値Ａ’に到達されると予想される場合は、制御部４０はバルブＶ３を閉鎖し、供給部２０からのスケール防止剤及び／または低イオン濃度水の供給を停止する。
【００８６】
このように本実施形態に依れば、脱塩工程、再生工程、あるいは脱塩部の停止時のいずれにおいても、脱塩部１０内のスケール成分濃度に応じた期間でスケール防止剤及び／または低イオン濃度水を供給することが可能である。
【００８７】
脱塩工程と再生工程とを繰り返し実施すると、電極１１，１３に吸着したイオンが再生工程で十分に脱離されない、スケール成分が析出する、固形分が堆積する等により、脱塩能力が低下する。そこで、定期的に、電極交換等の脱塩処理装置４のメンテナンスを実施する。メンテナンスの実施は、脱塩工程で計測部３０で計測されたイオン濃度が所定値を超えた場合、あるいは、所定の使用時間（例えば１か月）経過後に実施する。使用時間によりメンテナンス時期を管理する場合は、脱塩工程において計測部３０で計測されるイオン濃度の値に応じて使用時間を設定すると良い。
【００８８】
＜第２実施形態＞
図６は、第２実施形態の脱塩処理装置の概略図である。図６において、図３と同じ構成要素には同じ符号が付されている。第２実施形態の脱塩処理装置も、図１の水再生システム１を構成することができる。
【００８９】
第２実施形態の脱塩処理装置１０４は、循環部１５０が設置される。循環部１５０は、排出路２２と供給部２０のタンク２１とを連結する配管１５１、及び、排出路２２とタンク２１との間のバルブＶ４を有する。バルブＶ４は制御部１４０に接続する。
【００９０】
第２実施形態においても、計測部３０は、必ずしも処理中の脱塩処理装置１０４に常設されなくても良い。
【００９１】
第２実施形態の制御部１４０は、スケール成分濃度の閾値Ｂを格納する。閾値Ｂは被処理水の水質を考慮して適宜設定可能である。例えば閾値Ｂは、スケール成分の飽和濃度値の１倍未満の値、好ましくは０．１〜０．５倍の範囲内の値に設定される。
【００９２】
以下では、脱塩処理装置１０４に計測部３０が常設される場合を例に挙げて第２実施形態の脱塩処理装置１０４を用いた水再生方法を説明する。
【００９３】
制御部１４０は、再生工程の開始（バルブＶ１の閉鎖）と同時に、バルブＶ４を開放する。但し、第２実施形態では、再生工程の開始と同時にバルブＶ２は開放されない。これにより、濃縮水が排出路２２から循環部１５０を経由してタンク２１内に貯蔵される。
制御部１４０は、計測部３０で取得したイオンから取得されるスケール成分濃度が閾値Ｂに到達した時間Ｔ３で、バルブＶ４を閉鎖し、バルブＶ２を開放する。これにより、濃縮水の貯蔵が停止される。
【００９４】
上記の工程は、予備試験時、試運転時、あるいは調整運転時に計測部３０により取得されたスケール成分イオンの濃度の時間変化に基づいて実施されても良い。この場合、予め取得されたイオンの濃度の時間変化からスケール成分濃度の時間変化を取得し、スケール成分濃度が閾値Ｂに到達した時間Ｔ４を取得する。実際の水処理運転では、制御部は再生開始時から時間Ｔ４の間において上記の濃縮水の貯蔵を実施する。
【００９５】
本実施形態では、タンク２１に貯蔵されたスケール成分濃度が低い濃縮水を、低イオン濃度水として脱塩部１０に供給する。供給方法は、第１実施形態と同じである。再生工程の初期及び終期の脱塩部１０内に残留するスケール成分濃度は低い。このため、再生工程の初期及び終期で排出された濃縮水を脱塩部１０に循環させても、スケール成分の濃度が閾値Ａを超えてスケールが発生する恐れが無い。
このような構成を採用することによって、濃縮水の一部を利用することができ、低イオン濃度水として系外からの清浄な水を供給する必要がなくなるので、効率良く水再生を実施することができる。
【００９６】
＜第３実施形態＞
第３実施形態は、脱塩処理装置１０４において、処理水の一部を低イオン濃度水として循環させて利用する構成である。
【００９７】
制御部１４０は、第１実施形態で説明した脱塩工程中に、バルブＶ１を閉鎖するとともにバルブＶ４を開放する。これにより、処理水が排出路２２から循環部１５０を経由してタンク２１内に供給され、処理水の貯蔵が開始される。制御部１４０は、所定時間経過後、あるいは、タンク２１内の処理水が規定量に到達した時に、バルブＶ４を閉鎖するとともにバルブＶ１を開放する。これにより処理水の貯蔵が停止される。
【００９８】
制御部１４０は、第１実施形態と同様の工程で、タンク２１に貯蔵された処理水を低イオン濃度水として脱塩部１０に供給する。本実施形態の場合、脱塩部１０内のスケール成分濃度に応じて、低イオン濃度水としての処理水の流量を制御すると、循環させる処理水の量を低減させることができる。この結果、回収率を大幅に低下させることなく、系外からの水の供給量も抑制することも可能となる。
【００９９】
なお、制御部１４０は、第２実施形態及び第３実施形態で説明した工程により、処理水及びスケール成分イオン濃度が低い濃縮水の両方をタンク２１に貯蔵し、低イオン濃度水として処理水及びスケール成分イオン濃度が低い濃縮水の混合液を供給しても良い。
【０１００】
＜第４実施形態＞
図７は、第４実施形態の脱塩処理装置の概略図である。図７において、図３と同じ構成要素には同じ符号が付されている。第４実施形態の脱塩処理装置も、図１の水再生システム１を構成することができる。
【０１０１】
図７の脱塩処理装置２０４は、脱塩部１１０に計測部３０及び供給部２０が接続される。供給部２０は、当該電極間流路を流通する被処理水中に、スケール防止剤や低イオン濃度水を供給可能となっている。スケール防止剤及び低イオン濃度水の両方を脱塩部１１０に供給する場合は、２つの供給部２０が脱塩部１１０に接続される。なお、第４実施形態においても、計測部３０は、必ずしも処理中の脱塩処理装置２０４に常設されなくても良い。
【０１０２】
第４実施形態の脱塩処理装置２０４では、実際に脱塩部１１０内を流通する被処理水中のスケール成分イオン濃度を検出する。すなわち、第１実施形態のように滞留時間分だけの計測遅れは発生しない。
【０１０３】
従って、第４実施形態の脱塩処理装置２０４を用いた水再生方法では、制御部２４０が、ｎ−１回目の脱塩工程及び再生工程で取得した時間ｔ１ｎ−１を、ｎ回目の脱塩工程及び再生工程でＶ３を開放する供給開始時間Ｔ１ｎとして取得する。同様に、制御部２４０が、ｎ−１回目の脱塩工程及び再生工程で取得した時間ｔ２ｎ−１を、ｎ回目の脱塩工程及び再生工程でＶ３を閉鎖する供給停止時間Ｔ２ｎとして取得する。制御部４０は、Ｔ１ｎとＴ２ｎの間をスケール防止剤及び／または低イオン濃度水の供給が実施される期間Ｔａと決定する。制御部２４０は、脱塩工程及び再生工程中の期間Ｔａの間で供給部２０に所定量のスケール防止剤及び／または低イオン濃度水を被処理水中に供給させる。
【０１０４】
第４実施形態では、上述の期間Ｔａを決定する工程以外は、第１実施形態と同様の工程で供給工程が行われる。第４実施形態においても、Ｔａの決定は、処理を行いながら計測部３０で計測されたスケール成分イオンの濃度を用いても良い。または、予備試験時、試運転時、または調整運転時に予め計測されたスケール成分イオンの濃度からスケール成分濃度を得て、スケール防止剤及び／または低イオン濃度水を供給するタイミングを取得し、実際の水処理運転では取得したタイミングでスケール防止剤及び／または低イオン濃度水の供給を行っても良い。
【０１０５】
図７の脱塩処理装置２０４においても、図６と同様に循環部を設け、スケール成分の濃度が低い濃縮水、あるいは、処理水の一部を低イオン濃度水として再利用することができる。
【符号の説明】
【０１０６】
１  水再生システム
２  前処理部
３  有機物処理部
４，１０４，２０４  脱塩処理装置
１０，１１０  脱塩部
１１，１３  電極
１２  陰イオン交換膜
１４  陽イオン交換膜
１５  電極間流路
２０  供給部
２１  タンク
２２  排出路
２３  処理水排出路
２４  濃縮水排出路
３０  計測部
４０，１４０，２４０  制御部
１５０  循環部
１５１  配管
【図１】
2014155660.tif 000003
【図２】
2014155660.tif 000004
【図３】
2014155660.tif 000005
【図４】
2014155660.tif 000006
【図５】
2014155660.tif 000007
【図６】
2014155660.tif 000008
【図７】
2014155660.tif 000009
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部とを含む水再生システム。
【請求項２】
前記供給部が前記脱塩部の上流に設置され、
前記制御部が、前記スケール成分の濃度が第１の閾値に到達した時間と前記被処理水が前記脱塩部に滞留する滞留時間とから前記供給開始時間を取得するとともに、前記スケール成分の濃度が、前記第１の閾値の０．５倍以上１倍以下の値である第２の閾値に到達した時間と前記滞留時間とから前記供給停止時間とを取得する請求項１に記載の水再生システム。
【請求項３】
前記供給部が前記電極間流路に接続され、
前記制御部が、前記スケール成分の濃度が第１の閾値に到達した時間を前記供給開始時間として取得するとともに、前記スケール成分の濃度が、前記第１の閾値の０．５倍以上１倍以下の値である第２の閾値に到達した時間を前記供給停止時間として取得する請求項１に記載の水再生システム。
【請求項４】
前記脱塩部から排出された前記濃縮水及び前記処理水の少なくとも一方を前記供給部に循環させる循環部を更に備え、
前記制御部が、前記スケール成分イオンの濃度が低い前記濃縮水及び前記処理水の少なくとも一方を、前記低イオン濃度水として前記循環部を通じて前記供給部に送給させて、前記供給部から前記脱塩部に供給させる請求項１乃至請求項３のいずれかに記載の水再生システム。
【請求項５】
前記制御部が、前記脱塩部内の前記スケール成分の濃度に基づいて、前記低イオン濃度水の流量を制御する請求項１乃至請求項４のいずれかに記載の水再生システム。
【請求項６】
前記スケール成分イオンの濃度を計測する計測部が、前記脱塩部の下流に設置され、あるいは、前記電極間流路に接続され、
前記制御部が、前記計測部で計測される前記スケール成分イオンの濃度から前記スケール成分の濃度を取得し、前記スケール成分の濃度に基づいて、前記供給開始時間と前記供給停止時間とを取得する請求項１乃至請求項５のいずれかに記載の水再生システム。
【請求項７】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部とを含む脱塩処理装置。
【請求項８】
前記供給部が前記脱塩部の上流に設置され、
前記制御部が、前記スケール成分の濃度が第１の閾値に到達した時間と前記被処理水が前記脱塩部に滞留する滞留時間とから前記供給開始時間を取得するとともに、前記スケール成分の濃度が、前記第１の閾値の０．５倍以上１倍以下の値である第２の閾値に到達した時間と前記滞留時間とから前記供給停止時間とを取得する請求項７に記載の脱塩処理装置。
【請求項９】
前記供給部が前記電極間流路に接続され、
前記制御部が、前記スケール成分の濃度が第１の閾値に到達した時間を前記供給開始時間として取得するとともに、前記スケール成分の濃度が前記第１の閾値の０．５倍以上１倍以下の値である第２の閾値に到達した時間を前記供給停止時間として取得する請求項７に記載の脱塩処理装置。
【請求項１０】
前記脱塩部から排出された前記濃縮水及び前記処理水の少なくとも一方を前記供給部に循環させる循環部を更に備え、
前記制御部が、前記スケール成分イオンの濃度が低い前記濃縮水及び前記処理水の少なくとも一方を、前記低イオン濃度水として前記循環部を通じて前記供給部に送給させて、前記供給部から前記脱塩部に供給させる請求項７乃至請求項９のいずれかに記載の脱塩処理装置。
【請求項１１】
前記制御部が、前記脱塩部内の前記スケール成分の濃度に基づいて、前記低イオン濃度水の流量を制御する請求項７乃至請求項１０のいずれかに記載の脱塩処理装置。
【請求項１２】
前記スケール成分イオンの濃度を計測する計測部が、前記脱塩部の下流に設置され、あるいは、前記電極間流路に接続され、
前記制御部が、前記計測部で計測される前記スケール成分イオンの濃度から前記スケール成分の濃度を取得し、前記スケール成分の濃度に基づいて、前記供給開始時間と前記供給停止時間とを取得する請求項７乃至請求項１１のいずれかに記載の脱塩処理装置。
【請求項１３】
互いに逆極性に帯電される一対の対向する電極、該電極の間に位置しイオンを含む被処理水が流通可能とされる電極間流路、及び、各々の前記電極の前記電極間流路側に設置されるイオン交換膜を有する脱塩部において、前記電極に前記被処理水中の前記イオンを吸着させて処理水を生成させる脱塩工程と、
前記電極から前記吸着されたイオンを脱離させ前記電極間流路に放出させ、前記脱離したイオンを含む濃縮水を前記脱塩部から排出させる再生工程と、
前記脱塩部に、スケール防止剤、及び、スケール成分となる前記イオンであるスケール成分イオンの濃度が前記濃縮水よりも低い低イオン濃度水のうち少なくとも一方が供給される供給工程とを含み、
前記供給工程が、
前記脱塩部内での前記スケール成分の濃度に基づいて、前記スケール防止剤及び前記低イオン濃度水のうち少なくとも一方の供給が開始される供給開始時間と、前記スケール防止剤及び前記低イオン濃度水のうち少なくとも一方の供給が停止される供給停止時間とが取得される取得工程と、
前記供給開始時間に前記スケール防止剤及び前記低イオン濃度水のうち少なくとも一方の供給が開始される供給開始工程と、
前記供給開始工程の後に、前記供給停止時間に前記スケール防止剤及び前記低イオン濃度水のうち少なくとも一方の供給が停止される供給停止工程と、を含む水再生方法。
【請求項１４】
前記取得工程において、前記スケール成分の濃度が第１の閾値に到達した時間と前記被処理水が前記脱塩部に滞留する滞留時間とから前記供給開始時間が取得されるとともに、前記スケール成分の濃度が、前記第１の閾値の０．５倍以上１倍以下の値である第２の閾値に到達した時間と前記滞留時間とから前記供給停止時間が取得される請求項１３に記載の水再生方法。
【請求項１５】
前記取得工程において、前記電極間流路を通過している前記被処理水中の前記スケール成分の濃度が第１の閾値に到達した時間が前記供給開始時間として取得されるとともに、前記電極間流路を通過している前記被処理水中の前記スケール成分の濃度が、前記第１の閾値の０．５倍以上１倍以下の値である第２の閾値に到達した時間が前記供給停止時間として取得される請求項１３に記載の水再生方法。
【請求項１６】
前記供給工程において、前記スケール成分イオンの濃度が低い前記濃縮水及び前記処理水の少なくとも一方が、前記低イオン濃度水として供給される請求項１３乃至請求項１５のいずれかに記載の水再生方法。
【請求項１７】
前記供給工程において、前記脱塩部内の前記スケール成分の濃度が前記第１の閾値以下となるように、前記低イオン濃度水の流量が制御される請求項１３乃至請求項１６のいずれかに記載の水再生方法。
【請求項１８】
前記電極間流路を通過した後の前記濃縮水中の前記スケール成分イオンの濃度、または、前記電極間流路を通過している前記被処理水中の前記スケール成分イオンの濃度が計測される計測工程を更に含み、
前記取得工程において、前記計測された前記スケール成分イオンの濃度から前記スケール成分の濃度を取得され、前記スケール成分の濃度に基づいて、前記供給開始時間及び前記供給停止時間が取得される請求項１３乃至請求項１７のいずれかに記載の水再生方法。
【手続補正２】
【補正対象書類名】明細書
【補正対象項目名】００４６
【補正方法】変更
【補正の内容】
【００４６】
図３は、排出路２２に計測部３０が設置される例である。計測部３０は、脱塩部１０から排出された水に含まれるイオンの濃度を計測する。計測部３０は、必ずしも処理中の脱塩処理装置４に常設されなくても良い。
被処理水中には、スケール成分イオンとしてＣａ２＋及びシリカイオンが主として含まれる。従って、ここで計測対象となるイオンはカルシウムイオン（Ｃａ２＋）及びシリカイオンである。従って、計測部３０は、処理水中のＣａ２＋やシリカイオンを計測する濃度計とされる。この場合、上記イオンとともに、Ｃａ２＋と結合するＳＯ４２−、ＣＯ３２−、Ｆ−を計測しても良い。
【手続補正３】
【補正対象書類名】明細書
【補正対象項目名】００７８
【補正方法】変更
【補正の内容】
【００７８】
あるいは、制御部４０は、スケール防止剤の供給開始時間と低イオン濃度水の供給開始時間とをずらすこともできる。
スケール防止剤を先に供給する場合、制御部４０は、スケール防止剤が貯蔵される供給部２０について上述のように取得した供給開始時間Ｔ１ｎ及び供給停止時間Ｔ２ｎでバルブＶ３の開閉を行う。ｎ−１回目の脱塩工程及び再生工程においてスケール防止剤を供給しても脱塩部１０内のスケール成分濃度がスケール発生の恐れがある値（閾値Ａ”とする）を超える場合には、制御部４０は閾値Ａ”を用いて低イオン濃度水が貯蔵される供給部２０’のバルブＶ３’の供給開始時間Ｔ１ｎ”及び供給開始時間Ｔ２ｎ”を取得する。そして、制御部４０は、ｎ回目の脱塩工程及び再生工程の供給開始時間Ｔ１ｎ”及び供給停止時間Ｔ２ｎ”でバルブＶ３’の開放及び閉鎖を行い、低イオン濃度水を脱塩部１０に供給する。
低イオン濃度水を先に供給する場合、制御部４０は、供給部２０’について上述のように取得した供給開始時間Ｔ１ｎ及び供給停止時間Ｔ２ｎでバルブＶ３の開閉を行う。ｎ−１回目の脱塩工程及び再生工程において低イオン濃度水を供給しても脱塩部１０内のスケール成分濃度が閾値Ａに到達する場合には、制御部４０はスケール防止剤が貯蔵される供給部２０のバルブＶ３の供給開始時間Ｔ１ｎ”及び供給停止時間Ｔ２ｎ”を取得する。そして、制御部４０は、ｎ回目の脱塩工程及び再生工程の供給開始時間Ｔ１ｎ”及び供給停止時間Ｔ２ｎ”でバルブＶ３の開放及び閉鎖を行い、スケール防止剤を脱塩部１０に供給する。
【手続補正４】
【補正対象書類名】明細書
【補正対象項目名】００８０
【補正方法】変更
【補正の内容】
【００８０】
次に、脱塩部１０が停止した場合にスケール防止剤または低イオン濃度水を供給する供給工程を説明する。
脱塩部１０への被処理水供給量が規定値以下である場合や、処理水量が規定値に到達した場合、制御部４０は、脱塩部１０に被処理水を供給するポンプ（不図示）と脱塩部１０とを停止させる。複数の脱塩部１０を並列に配列した場合は、一の脱塩部１０が停止され、他の脱塩部１０での脱塩工程及び再生工程が継続される状態となる。
【手続補正５】
【補正対象書類名】明細書
【補正対象項目名】０１０３
【補正方法】変更
【補正の内容】
【０１０３】
従って、第４実施形態の脱塩処理装置２０４を用いた水再生方法では、制御部２４０が、ｎ−１回目の脱塩工程及び再生工程で取得した時間ｔ１ｎ−１を、ｎ回目の脱塩工程及び再生工程でＶ３を開放する供給開始時間Ｔ１ｎとして取得する。同様に、制御部２４０が、ｎ−１回目の脱塩工程及び再生工程で取得した時間ｔ２ｎ−１を、ｎ回目の脱塩工程及び再生工程でＶ３を閉鎖する供給停止時間Ｔ２ｎとして取得する。制御部２４０は、Ｔ１ｎとＴ２ｎの間をスケール防止剤及び／または低イオン濃度水の供給が実施される期間Ｔａと決定する。制御部２４０は、脱塩工程及び再生工程中の期間Ｔａの間で供給部２０に所定量のスケール防止剤及び／または低イオン濃度水を被処理水中に供給させる。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記再生処理時における前記供給開始時間と前記供給停止時間との間で前記供給部にスケール防止剤及び前記低イオン濃度水の少なくとも一方の供給を実施させる制御部とを含み、
前記供給部が前記脱塩部の上流に設置され、
前記制御部が、前記スケール成分の濃度が増加している場合に第１の閾値に到達した時間と前記被処理水が前記脱塩部に滞留する滞留時間とから前記供給開始時間を取得するとともに、前記スケール成分の濃度が、減少している場合に、前記第１の閾値の０．５倍以上１倍以下の値である第２の閾値に到達した時間と前記滞留時間とから前記供給停止時間とを取得する水再生システム。
【請求項２】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記再生処理時における前記供給開始時間と前記供給停止時間との間で前記供給部にスケール防止剤及び前記低イオン濃度水の少なくとも一方の供給を実施させる制御部と、
を含み、
前記供給部および前記スケール成分イオンの濃度を計測する計測部が前記電極間流路に接続され、
前記制御部が、前記スケール成分の濃度が第１の閾値に到達した時間を前記供給開始時間として取得するとともに、前記スケール成分の濃度が、前記第１の閾値の０．５倍以上１倍以下の値である第２の閾値に到達した時間を前記供給停止時間として取得する水再生システム。
【請求項３】
前記脱塩部から排出された前記濃縮水及び前記処理水の少なくとも一方を前記供給部に循環させる循環部を更に備え、
前記制御部が、前記スケール成分イオンの濃度が低い濃縮水及び前記処理水の少なくとも一方を、前記低イオン濃度水として前記循環部を通じて前記供給部に送給させて、前記供給部から前記脱塩部に供給させる請求項１または請求項２に記載の水再生システム。
【請求項４】
前記制御部が、前記脱塩部内の前記スケール成分の濃度に基づいて、前記低イオン濃度水の流量を制御する請求項１乃至請求項３のいずれかに記載の水再生システム。
【請求項５】
前記スケール成分イオンの濃度を計測する計測部が、前記脱塩部の下流に設置され、あるいは、前記電極間流路に接続され、
前記制御部が、前記計測部で計測される前記スケール成分イオンの濃度から前記スケール成分の濃度を取得し、前記スケール成分の濃度に基づいて、前記供給開始時間と前記供給停止時間とを取得する請求項１に記載の水再生システム。
【請求項６】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部とを含み、
前記供給部が前記脱塩部の上流に設置され、
前記制御部が、前記スケール成分の濃度が第１の閾値に到達した時間と前記被処理水が前記脱塩部に滞留する滞留時間とから前記供給開始時間を取得するとともに、前記スケール成分の濃度が、前記第１の閾値の０．５倍以上１倍以下の値である第２の閾値に到達した時間と前記滞留時間とから前記供給停止時間とを取得する脱塩処理装置。
【請求項７】
互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、
前記脱塩部の下流側に設けられ、前記脱塩処理時に前記イオンが除去された処理水を前記脱塩部から排出させる処理水排出路と、
前記脱塩部の下流側に設けられ、前記再生処理時に前記電極から放出された前記イオンを含む濃縮水を前記脱塩部から排出させる濃縮水排出路と、
前記脱塩部にスケール防止剤、及び、スケール成分となる前記イオンであるスケール成分イオンの濃度が前記濃縮水よりも低い低イオン濃度水のうち少なくとも一方を供給する供給部と、
前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記供給開始時間と前記供給停止時間との間で前記供給部にスケール防止剤及び前記低イオン濃度水の少なくとも一方の供給を実施させる制御部と、
を含み、
前記供給部および前記スケール成分イオンの濃度を計測する計測部が前記電極間流路に接続され、
前記制御部が、前記スケール成分の濃度が増加している場合に第１の閾値に到達した時間を前記供給開始時間として取得するとともに、前記スケール成分の濃度が減少している場合に、前記第１の閾値の０．５倍以上１倍以下の値である第２の閾値に到達した時間を前記供給停止時間として取得する脱塩処理装置。
【請求項８】
前記脱塩部から排出された前記濃縮水及び前記処理水の少なくとも一方を前記供給部に循環させる循環部を更に備え、
前記制御部が、前記スケール成分イオンの濃度が低い濃縮水及び前記処理水の少なくとも一方を、前記低イオン濃度水として前記循環部を通じて前記供給部に送給させて、前記供給部から前記脱塩部に供給させる請求項６または請求項７に記載の脱塩処理装置。
【請求項９】
前記制御部が、前記脱塩部内の前記スケール成分の濃度に基づいて、前記低イオン濃度水の流量を制御する請求項６乃至請求項８のいずれかに記載の脱塩処理装置。
【請求項１０】
前記スケール成分イオンの濃度を計測する計測部が、前記脱塩部の下流に設置され、あるいは、前記電極間流路に接続され、
前記制御部が、前記計測部で計測される前記スケール成分イオンの濃度から前記スケール成分の濃度を取得し、前記スケール成分の濃度に基づいて、前記供給開始時間と前記供給停止時間とを取得する請求項６に記載の脱塩処理装置。
【請求項１１】
互いに逆極性に帯電される一対の対向する電極、該電極の間に位置しイオンを含む被処理水が流通可能とされる電極間流路、及び、各々の前記電極の前記電極間流路側に設置されるイオン交換膜を有する脱塩部において、前記電極に前記被処理水中の前記イオンを吸着させて処理水を生成させる脱塩工程と、
前記電極から前記吸着されたイオンを脱離させ前記電極間流路に放出させ、前記脱離したイオンを含む濃縮水を前記脱塩部から排出させる再生工程と、
前記再生工程において、前記脱塩部に、スケール防止剤、及び、スケール成分となる前記イオンであるスケール成分イオンの濃度が前記濃縮水よりも低い低イオン濃度水のうち少なくとも一方が供給される供給工程とを含み、
前記供給工程が、
前記脱塩部内での前記スケール成分の濃度に基づいて、前記スケール防止剤及び前記低イオン濃度水のうち少なくとも一方の供給が開始される供給開始時間と、前記スケール防止剤及び前記低イオン濃度水のうち少なくとも一方の供給が停止される供給停止時間とが取得される取得工程と、
前記供給開始時間に前記スケール防止剤及び前記低イオン濃度水のうち少なくとも一方の供給が開始される供給開始工程と、
前記供給開始工程の後に、前記供給停止時間に前記スケール防止剤及び前記低イオン濃度水のうち少なくとも一方の供給が停止される供給停止工程と、を含み、
前記取得工程において、前記スケール成分の濃度が第１の閾値に到達した時間と前記被処理水が前記脱塩部に滞留する滞留時間とから前記供給開始時間が取得されるとともに、前記スケール成分の濃度が、前記第１の閾値の０．５倍以上１倍以下の値である第２の閾値に到達した時間と前記滞留時間とから前記供給停止時間が取得される水再生方法。
【請求項１２】
互いに逆極性に帯電される一対の対向する電極、該電極の間に位置しイオンを含む被処理水が流通可能とされる電極間流路、及び、各々の前記電極の前記電極間流路側に設置されるイオン交換膜を有する脱塩部において、前記電極に前記被処理水中の前記イオンを吸着させて処理水を生成させる脱塩工程と、
前記電極から前記吸着されたイオンを脱離させ前記電極間流路に放出させ、前記脱離したイオンを含む濃縮水を前記脱塩部から排出させる再生工程と、
前記再生工程において、前記脱塩部に、スケール防止剤、及び、スケール成分となる前記イオンであるスケール成分イオンの濃度が前記濃縮水よりも低い低イオン濃度水のうち少なくとも一方が供給される供給工程と、
前記電極間流路を通過している前記被処理水中の前記スケール成分イオンの濃度が計測される計測工程と、
を含み、
前記供給工程が、
前記脱塩部内での前記スケール成分の濃度に基づいて、前記スケール防止剤及び前記低イオン濃度水のうち少なくとも一方の供給が開始される供給開始時間と、前記スケール防止剤及び前記低イオン濃度水のうち少なくとも一方の供給が停止される供給停止時間とが取得される取得工程と、
前記供給開始時間に前記スケール防止剤及び前記低イオン濃度水のうち少なくとも一方の供給が開始される供給開始工程と、
前記供給開始工程の後に、前記供給停止時間に前記スケール防止剤及び前記低イオン濃度水のうち少なくとも一方の供給が停止される供給停止工程と、を含み、
前記取得工程において、前記電極間流路を通過している前記被処理水中の前記スケール成分の濃度が第１の閾値に到達した時間が前記供給開始時間として取得されるとともに、前記電極間流路を通過している前記被処理水中の前記スケール成分の濃度が、前記第１の閾値の０．５倍以上１倍以下の値である第２の閾値に到達した時間が前記供給停止時間として取得される水再生方法。
【請求項１３】
前記供給工程において、前記スケール成分イオンの濃度が低い濃縮水及び前記処理水の少なくとも一方が、前記低イオン濃度水として供給される請求項１１または請求項１２に記載の水再生方法。
【請求項１４】
前記供給工程において、前記脱塩部内の前記スケール成分の濃度が前記第１の閾値以下となるように、前記低イオン濃度水の流量が制御される請求項１１乃至請求項１３のいずれかに記載の水再生方法。
【請求項１５】
前記電極間流路を通過した後の前記濃縮水中の前記スケール成分イオンの濃度、または、前記電極間流路を通過している前記被処理水中の前記スケール成分イオンの濃度が計測される計測工程を更に含み、
前記取得工程において、前記計測された前記スケール成分イオンの濃度から前記スケール成分の濃度を取得され、前記スケール成分の濃度に基づいて、前記供給開始時間及び前記供給停止時間が取得される請求項１１に記載の水再生方法。
【手続補正２】
【補正対象書類名】明細書
【補正対象項目名】００１１
【補正方法】変更
【補正の内容】
【００１１】
本発明の第１の態様は、互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、前記脱塩部の下流側に設けられ、前記脱塩処理時に前記イオンが除去された処理水を前記脱塩部から排出させる処理水排出路と、前記脱塩部の下流側に設けられ、前記再生処理時に前記電極から放出された前記イオンを含む濃縮水を前記脱塩部から排出させる濃縮水排出路と、前記脱塩部にスケール防止剤、及び、スケール成分となる前記イオンであるスケール成分イオンの濃度が前記濃縮水よりも低い低イオン濃度水のうち少なくとも一方を供給する供給部と、前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記再生処理時における前記供給開始時間と前記供給停止時間との間で前記供給部にスケール防止剤及び前記低イオン濃度水の少なくとも一方の供給を実施させる制御部とを含む水再生システムである。
【手続補正３】
【補正対象書類名】明細書
【補正対象項目名】００１２
【補正方法】変更
【補正の内容】
【００１２】
本発明の第２の態様は、互いに逆極性に帯電される一対の対向する電極、該電極の間に位置しイオンを含む被処理水が流通可能とされる電極間流路、及び、各々の前記電極の前記電極間流路側に設置されるイオン交換膜を含み、前記電極に前記イオンを吸着させる脱塩処理と前記電極から前記イオンを脱離させる再生処理とを行う脱塩部と、前記脱塩部の下流側に設けられ、前記脱塩処理時に前記イオンが除去された処理水を前記脱塩部から排出させる処理水排出路と、前記脱塩部の下流側に設けられ、前記再生処理時に前記電極から放出された前記イオンを含む濃縮水を前記脱塩部から排出させる濃縮水排出路と、前記脱塩部にスケール防止剤、及び、スケール成分となる前記イオンであるスケール成分イオンの濃度が前記濃縮水よりも低い低イオン濃度水のうち少なくとも一方を供給する供給部と、前記脱塩部内での前記スケール成分の濃度に基づいて、前記供給部が前記脱塩部に前記スケール防止剤及び前記低イオン濃度水のうち少なくとも一方を供給する供給開始時間と、前記供給部が前記スケール防止剤及び前記低イオン濃度水のうち少なくとも一方の供給を停止する供給停止時間を取得し、前記再生処理時における前記供給開始時間と前記供給停止時間との間で前記供給部にスケール防止剤及び前記低イオン濃度水の少なくとも一方の供給を実施させる制御部とを含む脱塩処理装置である。
【手続補正４】
【補正対象書類名】明細書
【補正対象項目名】００１３
【補正方法】変更
【補正の内容】
【００１３】
本発明の第３の態様は、互いに逆極性に帯電される一対の対向する電極、該電極の間に位置しイオンを含む被処理水が流通可能とされる電極間流路、及び、各々の前記電極の前記電極間流路側に設置されるイオン交換膜を有する脱塩部において、前記電極に前記被処理水中の前記イオンを吸着させて処理水を生成させる脱塩工程と、前記電極から前記吸着されたイオンを脱離させ前記電極間流路に放出させ、前記脱離したイオンを含む濃縮水を前記脱塩部から排出させる再生工程と、前記再生工程において、前記脱塩部に、スケール防止剤、及び、スケール成分となる前記イオンであるスケール成分イオンの濃度が前記濃縮水よりも低い低イオン濃度水のうち少なくとも一方が供給される供給工程とを含み、前記供給工程が、前記脱塩部内での前記スケール成分の濃度に基づいて、前記スケール防止剤及び前記低イオン濃度水のうち少なくとも一方の供給が開始される供給開始時間と、前記スケール防止剤及び前記低イオン濃度水のうち少なくとも一方の供給が停止される供給停止時間とが取得される取得工程と、前記供給開始時間に前記スケール防止剤及び前記低イオン濃度水のうち少なくとも一方の供給が開始される供給開始工程と、前記供給開始工程の後に、前記供給停止時間に前記スケール防止剤及び前記低イオン濃度水のうち少なくとも一方の供給が停止される供給停止工程と、を含む水再生方法である。
【手続補正５】
【補正対象書類名】明細書
【補正対象項目名】００１５
【補正方法】変更
【補正の内容】
【００１５】
上記第１の態様または第２の態様において、前記供給部が前記脱塩部の上流に設置され、前記制御部が、前記スケール成分の濃度が増加している場合に第１の閾値に到達した時間と前記被処理水が前記脱塩部に滞留する滞留時間とから前記供給開始時間を取得するとともに、前記スケール成分の濃度が、減少している場合に、前記第１の閾値の０．５倍以上１倍以下の値である第２の閾値に到達した時間と前記滞留時間とから前記供給停止時間とを取得する。
【手続補正６】
【補正対象書類名】明細書
【補正対象項目名】００１６
【補正方法】変更
【補正の内容】
【００１６】
上記第３の態様において、前記取得工程において、前記スケール成分の濃度が増加している場合に第１の閾値に到達した時間と前記被処理水が前記脱塩部に滞留する滞留時間とから前記供給開始時間が取得されるとともに、前記スケール成分の濃度が、減少している場合に、前記第１の閾値の０．５倍以上１倍以下の値である第２の閾値に到達した時間と前記滞留時間とから前記供給停止時間が取得される。
【手続補正７】
【補正対象書類名】明細書
【補正対象項目名】００１８
【補正方法】変更
【補正の内容】
【００１８】
上記第１の態様または第２の態様において、前記供給部および前記スケール成分イオンの濃度を計測する計測部が前記電極間流路に接続され、前記制御部が、前記スケール成分の濃度が第１の閾値に到達した時間を前記供給開始時間として取得するとともに、前記スケール成分の濃度が、前記第１の閾値の０．５倍以上１倍以下の値である第２の閾値に到達した時間を前記供給停止時間として取得する。
【手続補正８】
【補正対象書類名】明細書
【補正対象項目名】００１９
【補正方法】変更
【補正の内容】
【００１９】
上記第３の態様において、前記電極間流路を通過している前記被処理水中の前記スケール成分イオンの濃度が計測される計測工程を含み、前記取得工程において、前記電極間流路を通過している前記被処理水中の前記スケール成分の濃度が第１の閾値に到達した時間が前記供給開始時間として取得されるとともに、前記電極間流路を通過している前記被処理水中の前記スケール成分の濃度が、前記第１の閾値の０．５倍以上１倍以下の値である第２の閾値に到達した時間が前記供給停止時間として取得される。
【手続補正９】
【補正対象書類名】明細書
【補正対象項目名】００２１
【補正方法】変更
【補正の内容】
【００２１】
上記第１の態様または第２の態様において、前記脱塩部から排出された前記濃縮水及び前記処理水の少なくとも一方を前記供給部に循環させる循環部を更に備え、前記制御部が、前記スケール成分イオンの濃度が低い濃縮水及び前記処理水の少なくとも一方を、前記低イオン濃度水として前記循環部を通じて前記供給部に送給させて、前記供給部から前記脱塩部に供給させても良い。
【手続補正１０】
【補正対象書類名】明細書
【補正対象項目名】００２２
【補正方法】変更
【補正の内容】
【００２２】
上記第３の態様では、前記供給工程において、前記スケール成分イオンの濃度が低い濃縮水及び前記処理水の少なくとも一方が、前記低イオン濃度水として供給されても良い。
【国際調査報告】
2014155660.tif 000010
2014155660.tif 000011
2014155660.tif 000012
2014155660.tif 000013